(57)【要約】【課題】折り畳み式携帯電話機の表示画面に映し出される情報を自動的に拡大表示して、老眼や視力が劣る人でも用意に読み取る事が出来、見終わった後、自動的に拡大レンズが収納される、折り畳み式携帯電話機用自動拡大表示器具を提供する。【解決手段】薄型で平板状の拡大レンズと弾性体を一体化した拡大表示器具を折り畳み式携帯電話機の表示画面側に取り付ける。【選択図】  図１
2004282523.tif 000002
【特許請求の範囲】
【請求項１】
薄型で平板状の拡大レンズと弾性体を前記拡大レンズの片面側に一体化した物であって、折り畳み式携帯電話機の表示画面側に納まる大きさの、折り畳み式携帯電話機用自動拡大表示器具。
【請求項２】
請求項１記載の拡大レンズと一体化した弾性体の弾性力は、拡大レンズを持ち上げる弾性力を有しており、なお且つ折り畳み式携帯電話機の閉じる力より弱い弾性力である、請求項１記載の折り畳み式携帯電話機用自動拡大表示器具。
【請求項３】
請求項１記載の拡大レンズを折り畳み式携帯電話機の表示画面側に取り付けると、折り畳み式携帯電話機を開くと同時に弾性体の弾性力で表示画面から拡大レンズが持ち上げられ、表示画面を自動的に拡大表示する事を特徴とする請求項１記載の折り畳み式携帯電話機用自動拡大表示器具。
【請求項４】
請求項１記載の拡大レンズを折り畳み式携帯電話機の表示画面側に取り付けて折り畳み式携帯電話機を閉じると、閉じた状態の表示画面側とプッシュボタン等を有する操作ボタン側との間に、自動的に挟み込まれて収納される事を特徴とする、請求項１記載の折り畳み式携帯電話機用自動拡大表示器具。
【請求項５】
請求項１記載の拡大レンズを折り畳み式携帯電話機の表示画面側に取り付けると、表示画面を拡大表示しながら電話番号や文字等を入力する事が出来て、電話を掛けたり掛かって来ても拡大レンズの上から耳をあてると、拡大レンズが携帯電話機の表示画面に密着し、拡大レンズに設けられたスピーカー用穴がスピーカーを覆う事無く音声が聞こえ、従来通りに対応出来ることを特徴とする請求項１記載の折り畳み式携帯電話機用自動拡大表示器具。
【発明の詳細な説明】
【０００１】
【発明の属する技術分野】
この発明は、折り畳み式携帯電話機の表示画面を自動的に拡大表示させて、見易くすることに関するものである。
【０００２】
【従来の技術】
携帯電話機の開発が進むにつれて小型化、軽量化、薄型化が進んできている一方小さい画面のなかで大量の情報を通信して表示している、老眼や視力の低下している者にはたいへん見ずらい物になってきている。従来の携帯電話機の表示部を拡大させるための器具は、携帯電話機本体と離れており、携帯電話機本体とは別に携帯しなくてはならず、表示部を拡大する為には、そのつど拡大器具を用いて拡大する操作をしなければいけなかった。
【０００３】
又、拡大器具を携帯電話機本体に取り付ける物は取り付けた後、携帯電話機が大きくなって携帯性や収納性が不便になり、携帯電話機本来のデザインも損なう物になっていた。
【０００４】
【発明が解決しようとする課題】
そこでこの発明は、折り畳み式携帯電話機の表示部の情報を大きく拡大するのに、簡単で大きなコストや労力をかけずに普段の携帯電話機の開閉操作で、自動的に表示画面に映し出される情報を拡大表示して、老眼や視力が劣る人でも容易に読み取る事が出来、折り畳み式携帯電話機を閉じると自動収納し、携帯電話機当初の携帯性や収納性を維持するとともに、携帯電話機本来のデザインを損なうことの無い拡大表示器具を提供する事を課題とする。
【０００５】
【課題を解決するための手段】
以上の課題を解決するために請求項１の発明は、薄型で平板状の拡大レンズと弾性体を前記拡大レンズの片面側に一体化した物であって、折り畳み式携帯電話機の表示画面側に納まる大きさの、折り畳み式携帯電話機用自動拡大表示器具。
【０００６】
請求項２の発明は、請求項１記載の拡大レンズと一体化した弾性体の弾性力は、拡大レンズを持ち上げる弾性力を有しおり、なお且つ折り畳み式携帯電話機の閉じる力より弱い弾性力である、請求項１記載の折り畳み式携帯電話機用自動拡大表示器具。
【０００７】
請求項３の発明は、請求項１記載の拡大レンズを折り畳み式携帯電話機の表示画面側に取り付けると、折り畳み式携帯電話機を開くと同時に弾性体の弾性力で表示画面から拡大レンズが持ち上げられ、表示画面を自動的に拡大表示する事を特徴とする請求項１記載の折り畳み式携帯電話機用自動拡大表示器具。
【０００８】
請求項４の発明は、請求項１記載の拡大レンズを折り畳み式携帯電話機の表示画面側に取り付けて折り畳み式携帯電話機を閉じると、閉じた状態の表示画面側とプッシュボタン等を有する操作ボタン側との間に、自動的に挟み込まれて収納される事を特徴とする、請求項１記載の折り畳み式携帯電話機用自動拡大表示器具。
【０００９】
請求項５の発明は、請求項１記載の拡大レンズを折り畳み式携帯電話機の表示画面側に取り付けると、表示画面を拡大表示しながら電話番号や文字等を入力する事が出来て、電話を掛けたり掛かって来ても拡大レンズの上から耳をあてると、拡大レンズが携帯電話機の表示画面に密着し、拡大レンズに設けられたスピーカー用穴がスピーカーを覆う事無く音声が聞こえ、従来通りに対応出来ることを特徴とする請求項１記載の折り畳み式携帯電話機用自動拡大表示器具。
【００１０】
【発明の実施の形態】
以下この発明の実施形態を添付の図を参照して説明する。図１は本発明器具を折り畳み式携帯電話機に取り付けた一実施形態の斜視図、図２は本発明器具の正面図、図３は本発明器具の側面図、図４は本発明器具を折り畳み式携帯電話機に取り付けた時の動作を説明する一実施形態の側面図、図５は他の実施形態で弾性体の種類を変えた一実施形態の側面図、図６は本発明器具を取り付けた折り畳み式携帯電話機の閉じた状態を示す側面図。
【００１１】
図１の折り畳み式携帯電話機の本体Ｄ，Ｅは一例であり本発明器具は、市場に出
回っているあらゆる大きさや形の折り畳み式携帯電話機に適用できる。
【００１２】
図２の拡大表示用の拡大レンズＡは、薄型で平板状のフレネルレンズ等を使用する。
【００１３】
図２の本発明器具は拡大レンズＡの片面側に弾性体Ｂを一体化したものであって、弾性体を粘着材等で拡大レンズに取り付ける等、拡大レンズＡと弾性体Ｂが一体化になればどのような方法でも良いのである。
【００１４】
拡大レンズＡと一体化になった弾性体Ｂは、薄型の金属、合成樹脂、プラスチック、ゴム等で、拡大レンズＡを図１の表示画面Ｇから持ち上げるだけの弾性力を有していて、なお且つ図６の折り畳み式携帯電話機Ｄ，Ｅの閉じる力より弱い弾性力とする。
【００１５】
拡大レンズＡには、拡大レンズＡと表示画面Ｇとが密着した時スピーカーＦを覆う事の無い位置に図２のスピーカー用穴Ｃを設けてある。
【００１６】
本発明器具の取り付けは、拡大レンズＡと一体化になった弾性体Ｂを両面テープ、ビニールテープ、粘着材等で折り畳み式携帯電話機の表示画面側Ｄに取り付ける。
【００１７】
本発明器具の取り付け位置は、図１の折り畳み式携帯電話機の表示画面側Ｄに拡大レンズＡと一体化になった弾性体Ｂを表示画面Ｇを遮る事の無い位置に取り付ける。
【００１８】
又、図６の折り畳み式携帯電話機Ｄ，Ｅが閉じた状態の時に折り畳み式携帯電話機Ｄ，Ｅの間にはみ出す事無く納まる位置に取り付ける。
【００１９】
拡大レンズＡを表示画面Ｇに密着させた時、拡大レンズＡに設けられたスピーカー用穴ＣがスピーカーＦの上に来る位置に取り付ける。
【００２０】
図１の折り畳み式携帯電話機の表示画面側Ｄに拡大レンズＡと弾性体Ｂを一体化した本発明器具を取り付け、折り畳み式携帯電話機Ｄ，Ｅを開くと同時に弾性体Ｂの弾性力で、表示画面Ｇから図４のような動作で拡大レンズＡが持ち上げられ、表示画面Ｇを自動的に拡大表示する事が出来る折り畳み式携帯電話機用自動拡大表示器具である。
【００２１】
拡大レンズＡの角度は、拡大レンズＡが表示画面Ｇにつねに水平な角度である。
【００２２】
表示画面Ｇを拡大表示しながら、電話番号や文字等を入力する事が出来る。
【００２３】
又、拡大表示をしながら、電話を掛けたり掛かって来ても拡大レンズＡの上から耳をあてると、図３の弾性体Ｂの弾性力は、拡大レンズＡを表示画面Ｇから持ち上げる弾性力しかなく、拡大レンズＡが図４のような動作で携帯電話機の表示画面Ｇに密着して拡大レンズＡに設けられた図１のスピーカー用穴ＣがスピーカーＦを覆う事無く音声が聞こえ従来通りに対応出来る折り畳み式携帯電話機用自動拡大表示器具である。
【００２４】
折り畳み式携帯電話機Ｄ，Ｅを閉じると、拡大レンズＡを支持する弾性体Ｂの弾性力は折り畳み式携帯電話機Ｄ，Ｅの閉じる力より弱いため、閉じる力によって薄型で平板状の拡大レンズＡが折り畳み式携帯電話機Ｄ，Ｅの閉じた状態の図６のように表示画面側Ｄとプッシュボタン等を有する操作ボタン側Ｅとの間にプッシュボタン等に接触して誤動作を起こさせないような態様で自動的に挟み込まれて収納される事が出来る折り畳み式携帯電話機用自動拡大表示器具である。
【００２５】
【実施形態の効果】
この実施形態によれば、薄型で平板状の拡大レンズと弾性体とを一体化した拡大表示器具を折り畳式携帯電話機に取り付けする事により、普段の携帯電話機の開閉操作で弾性体の弾性力によって自動拡大表示、自動収納が出来る。
【００２６】
【他の実施形態】
拡大表示用の拡大レンズＡは、フレネルレンズを２枚重ねや、プラスチックレンズ等、薄型、平板状であれば良いのである。
【００２７】
拡大レンズＡの大きさや形や色は、図１の折り畳み式携帯電話機の表示画面側Ｄ内に納まり表示画面Ｇを拡大表示できる大きさであれば丸、楕円、長方形、台形等、あらゆる形や、透明感のある色で赤、黄、緑、青等でも良い。
【００２８】
拡大レンズと一体化になった弾性体Ｂは、拡大レンズＡを持ち上げる弾性力を有していて、なお且つ折り畳み式携帯電話機の閉じる力より弱く薄型であれば、板状、渦状、くの字型等でも良いのである。
【００２９】
拡大レンズと一体化になった弾性体の数は、１個から１０個程度でも良いのである。
【発明の効果】
以上説明したように、この発明によれば、薄型で平板状の拡大レンズと弾性体を一体化した物を折り畳み式携帯電話機の表示画面側に取り付けることによって普段の携帯電話の開閉操作で自動的に表示画面に映し出された情報を拡大表示して、老眼や視力の劣る人でも容易に読み取る事が出来る。
【００３０】
又、折り畳み式携帯電話機の閉じた状態の表示画面側とプッシュボタン等を有する操作ボタン側との間に自動的に収納されるので、携帯性や収納性を維持するとともに、携帯電話機本来のデザインを損なわない。
【図面の簡単な説明】
【図１】本発明器具を折り畳み式携帯電話機に取り付けた一実施形態の斜視図である。
【図２】本発明器具の正面図である。
【図３】本発明器具の側面図である。
【図４】本発明器具を折り畳み式携帯電話機に取り付けた時の動作を説明する一実施形態の側面図。
【図５】他の実施形態で弾性体の種類を変えた一実施形態の側面図
【図６】本発明器具を取り付けた折り畳み式携帯電話機の閉じた状態を示す側面図。
【符号の説明】
Ａ拡大レンズ
Ｂ弾性体
Ｃスピーカー用穴
Ｄ携帯電話機本体表示画面側
Ｅ携帯電話機本体操作ボタン側
Ｆスピーカー
Ｇ表示画面
【図１】
2004282523.tif 000003
【図２】
2004282523.tif 000004
【図３】
2004282523.tif 000005
【図４】
2004282523.tif 000006
【図５】
2004282523.tif 000007
【図６】
2004282523.tif 000008